(57)【特許請求の範囲】
【請求項１】
ほぼ垂直のパネルを、被取付体に取り付けるためのパネルの被取付体への取付構造であって、
前記被取付体の上部に、Ｌ字形をなす上向係合爪と、前記上向係合爪の下方に設けられた下向きＬ字形をなす下向係合爪とを備えるパネル支持具を固着し、前記上向係合爪に、パネルに穿設された上部係合孔を嵌合し、前記上部係合孔の上縁を、前記上部係合爪におけるほぼ水平な支持部の上面に係合するとともに、前記下向係合爪を、パネルにおける前記上部係合孔の下方に穿設された下部係合孔に嵌合し、かつ、前記上部係合爪におけるほぼ垂直な起立部の上端から下部係合爪におけるほぼ垂直な垂下部の下端までの距離（Ｌ１）を、前記上部係合孔の上縁から下部係合孔の下縁までの距離（Ｌ２）より大とし、さらに被取付体の下部に、前記上向係合爪と同一の第２の上向係合爪を固着し、パネルにおける第２の上向係合爪と整合する箇所に、前記上部係合孔と同一の第２の上部係合孔を穿設したことを特徴とするパネルの被取付体への取付構造。
【請求項２】
各係合孔をパネルの裏面に穿設したことを特徴とする請求項１記載のパネルの被取付体への取付構造。
【発明の詳細な説明】
【０００１】
【発明の属する技術分野】
本発明は、棚装置等の被取付体にパネルを取り付けるための取付構造に関し、特に被取付体が振動したり、傾斜したりしても、パネルが被取付体から脱落しないようにしたパネルの被取付体への取付構造に関する。
【０００２】
【従来の技術】
従来の棚装置の側面へのエンドパネルの取付構造としては、棚装置の外側面に、頭部に鍔を有するねじや金具等の吊り下げ具を突設し、この吊り下げ具に、エンドパネルに形成されたスリットを係合させて、エンドパネルを棚装置に単に引っ掛けるようにしたものがある。
【０００３】
【発明が解決しようとする課題】
しかし、上述の従来技術では、棚装置が振動して、パネルが上方に浮き上がると、パネルのスリットが吊り下げ具から外れて、パネルが棚装置から脱落することがあった。
【０００４】
また、止めねじにより、パネルを棚装置に固着すれば、パネルが棚装置から脱落するおそれは無くなるが、これではパネルの棚装置への着脱が難しくなってしまう。
【０００５】
本発明は、従来の技術が有する上述のような問題点に鑑みてなされたものであり、パネルの被取付体への着脱が容易であり、かつ被取付体が振動しても、パネルが被取付体から脱落しないようにしたパネルの被取付体への取付構造を提供することを目的としている。
【０００６】
【課題を解決するための手段】
本発明によると、上記課題は、次のようにして解決される。
(１)ほぼ垂直のパネルを、被取付体に取り付けるためのパネルの被取付体への取付構造であって、前記被取付体の上部に、Ｌ字形をなす上向係合爪と、前記上向係合爪の下方に設けられた下向きＬ字形をなす下向係合爪とを備えるパネル支持具を固着し、前記上向係合爪に、パネルに穿設された上部係合孔を嵌合し、前記上部係合孔の上縁を、前記上部係合爪におけるほぼ水平な支持部の上面に係合するとともに、前記下向係合爪を、パネルにおける前記上部係合孔の下方に穿設された下部係合孔に嵌合し、かつ、前記上部係合爪におけるほぼ垂直な起立部の上端から下部係合爪におけるほぼ垂直な垂下部の下端までの距離（Ｌ１）を、前記上部係合孔の上縁から下部係合孔の下縁までの距離（Ｌ２）より大とし、さらに被取付体の下部に、前記上向係合爪と同一の第２の上向係合爪を固着し、パネルにおける第２の上向係合爪と整合する箇所に、前記上部係合孔と同一の第２の上部係合孔を穿設する。
【０００７】
(２)上記(１)項において、各係合孔をパネルの裏面に穿設する。
【０００８】
【発明の実施の形態】
以下、本発明の実施の形態を図１〜図５に基づいて説明する。
棚装置(１)は、図１に示すように、４本の支柱(２)を、前後方向を向く横杆(３)と棚板(４)と天板(５)とにより連結したものであり、全体として直方体をなしている。
支柱(２)は、図２に示すように、多角形の角筒状に形成されたものであり、前後の支柱(２)の対向面(2a)における左右方向の中央部には、上下方向を向く溝(６)が形成されている。
【０００９】
図２に拡大して示すように、溝(６)の上下端部にはパネル支持具(７)の基片(7a)が挿入され、支柱(２)にパネル支持具(７)がボルト(８)によって固着されている。パネル支持具(７)が、下方に傾かないように、基片(7a)の外端面は支柱(２)の内面(2b)に当接させられている。
【００１０】
パネル支持具(７)は、後述するエンドパネル(９)を支持する金具であり、棚装置(１)の片側に都合４つ設けられて、支柱(２)の外方に突出した基片(7a)の内端部の上下端部には、エンドパネル(９)に設けられた後述する係合孔(13)(14)(15)(16)に係合する上向係合爪(10)と下向係合爪(11)とが突設されている。
上向係合爪(10)はＬ字状に形成されており、下向係合爪(11)は下向きのＬ字状に形成されている。
【００１１】
エンドパネル(９)は前後の支柱(２)(２)の対向面同士の間隔とほぼ同幅のものであり、図３に示すように、側面視縦長の方形をなす基板(9a)の縁に、裏面側に延出した後、裏面の中央部側に向けて基板と平行に延出する縁片(12)を形成したものである。縁片(12)の四隅近くには、係合孔(13)(14)，(15)(16)が形成されている。
【００１２】
縁片(12)の下端部に形成された係合孔(16)はエンドパネルを取付けやすくするため、他の係合孔(13)(14)(15)よりも上下方向に長く形成されている。
なお、エンドパネルは、樹脂成形品であってもよい。
【００１３】
次に、図４に基づいてエンドパネル(９)の取付け要領を説明する。
先ず、図４(I)に示すように、前後の支柱(２)の間に、エンドパネル(９)を、その上部を棚装置(１)の内部側に傾けて挿入し、係合孔(13)を上部のパネル支持具(７)の上向係合爪(10)に嵌合する。
【００１４】
次いで、図４(II)に示すように、係合孔(14)を上部のパネル支持具(７)の下向係合爪(11)に嵌合し、エンドパネル(９)の自重を利用してエンドパネル(９)を下方に下げ、係合孔(13)の上縁を、上部のパネル支持具(７)の上向係合爪(10)の水平な支持部(10a)に当接させるとともに、係合孔(14)の上縁を、上部のパネル支持具(７)の下向係合爪(11)の水平な支持部(11a)に当接させ、エンドパネル(９)を棚装置(１)に吊り下げた状態にする。
この時、下部のパネル支持具(７)の上向係合爪(10)の起立部(10b)には、縁片(12)が当接している。
【００１５】
図４(III)に示すように、エンドパネル(９)を持ち上げ、図４(IV)に示すように、上部のパネル支持具(７)の係合爪(10)(11)の下面に、係合孔(13)と係合孔(14)の下縁を当接させると、エンドパネル(９)の上昇が規制され、これと同時にエンドパネル(９)の下半部を下部のパネル支持具(７)側に押し付けると、係合孔(15)(16)に下部のパネル支持金具(７)の係合爪(10)(11)が嵌合し、エンドパネル(９)は、パネル支持具(７)に密着する。
【００１６】
最後に、再度、エンドパネル(９)の自重を利用して、エンドパネル(９)を下げると、図４(Ｖ)に示すように、各係合孔(13)(14)(15)(16)の上縁が、各上向係合爪(10)(10)及び下向係合爪(11)(11)の支持部(10a)(11a)に当接し、エンドパネル(９)は、前後の支柱(２)間に吊り下げ状態に取付けられている。
【００１７】
図４(Ｖ)に示すように、エンドパネル(９)の厚みＴは、支柱(２)の外側面(2c)と基片(7a)の外側面との間の距離Ｌより小さく設定されている。このため、エンドパネル(９)は、図５に示すように、前後に配列された支柱(２)の対向面(2a)間の領域内に収容されて、基板(9a)の表面が支柱(２)の外側面(2c)とほぼ同一面になり、棚装置(１)から突出するようなことがない。
【００１８】
人が棚装置(11)にぶつかったときや、地震によって振動を受けて、エンドパネル(９)が上方に移動し、ちょうど、図４(IV)に示すように、上向係合爪(10)(10)と係合孔(13)(15)とが等高をなして、上向係合爪(10)(10)から係合孔(13)(15)が抜け出すおそれがある。
しかし、図４(IV)に示すように、上部係合爪(10)の起立部(10b)の上端から下部係合爪(11)の垂下部(11b)の下端(11b)までの距離(L1)を、係合孔(13)の上端から係合孔(14)の下縁までの距離(L2)より大きくしてあるので、垂下部(11b)により係合孔(14)の抜け止めがなされ、エンドパネル(９)が棚装置(１)から脱落することはない。
【００１９】
【発明の効果】
本発明によれば、次のような効果を奏することができる。
止めねじを用いずに、パネルに穿設した係合孔を被取付体の係合爪に係合することにより、パネルを被取付体に取り付けているので、パネルの被取付体への着脱は容易である。
また、被取付体が振動したり傾斜したりして、パネルが被取付体に対して上方に浮き上がり、上向係合爪と上部係合孔とが等高をなして、上向係合爪が上部係合孔から外れようとしても、下部係合爪の垂下部の下端は下部係合孔より低い位置にあるので、下向係合爪が下部係合孔から抜け出すことがなく、パネルが被取付体から脱落することがない。
【００２０】
さらに、上下２個の上向係合爪を、それぞれ別個の上部係合孔に係合させているので、パネルが被取付体に対してがたつくことがない。
【００２１】
請求項２記載の発明によると、係合孔がパネルの裏面に設けられるので、係合孔や係合爪が外部に露呈することがなく、体裁がよい。
【図面の簡単な説明】
【図１】本発明の実施形態の分解斜視図である。
【図２】パネル支持具と、パネル支持具が取付けられる支柱の斜視図である。
【図３】エンドパネルの一部分を切り欠いた斜視図である。
【図４】エンドパネルの取付け順序を示す図であり、エンドパネルの厚み方向断面図である。
【図５】エンドパネルが取付けられた棚装置の部分斜視図である。
【符号の説明】
(１)棚装置(被取付体)
(２)支柱
(３)対向面
(2a)内面
(2b)外側面
(３)横杆
(４)棚板
(５)天板
(６)溝
(７)パネル支持具
(7a)基片
(８)ボルト
(９)エンドパネル(パネル)
(9a)基板
(10)上向係合爪
(10a)支持部
(10b)起立部
(11)下向係合爪
(11a)支持部
(11b)垂下部
(12)縁片
(13)係合孔(上部係合孔)
(14)係合孔(下部係合孔)
(15)係合孔(第２の上部合孔)
(16)係合孔
【図１】
0003632434.tif 000002
【図２】
0003632434.tif 000003
【図３】
0003632434.tif 000004
【図４】
0003632434.tif 000005
【図５】
0003632434.tif 000006